【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
読影すべき医用画像に関連する参照画像として、保存された医用画像を表示可能な医用画像表示システムであって、
前記医用画像と付帯情報とを関連づけて保存する保存手段と、
前記付帯情報に関する検索条件を入力する入力手段と、
入力された検索条件に合致する付帯情報を検索する手段と、
検索された付帯情報、及び／又は、当該付帯情報に対応する医用画像を表示する表示手段と、
を有し、
検索された付帯情報に対応する医用画像を参照画像として選択可能であることを特徴とする医用画像表示システム。
【請求項２】
請求項１に記載の医用画像表示システムにおいて、
前記付帯情報は患者に関する項目情報および医用画像の撮影条件に関する項目情報を含むことを特徴とする医用画像表示システム。
【請求項３】
請求項１または２に記載の医用画像表示システムにおいて、
前記付帯情報は、前記医用画像に基づく読影医の所見に関する項目情報を含むことを特徴とする医用画像表示システム。
【請求項４】
請求項１〜３のいずれか一項に記載の医用画像表示システムにおいて、
前記入力手段により入力された検索条件は、読影医毎に登録可能であることを特徴とする医用画像表示システム。
【請求項５】
請求項１〜４のいずれか一項に記載の医用画像表示システムにおいて、
前記入力手段により入力された検索条件は、患者毎に登録可能であることを特徴とする医用画像表示システム。
【請求項６】
請求項１〜５のいずれか一項に記載の医用画像表示システムにおいて、
前記入力手段により入力された検索条件は、病名毎に登録可能であることを特徴とする医用画像表示システム。
【請求項７】
請求項１〜６のいずれか一項に記載の医用画像表示システムにおいて、
前記医用画像を表示手段に表示させる際に、前記医用画像上に前記検索された付帯情報を表示し、当該付帯情報に対応する医用画像を参照画像として選択可能にしたことを特徴とする医用画像表示システム。
【請求項８】
請求項７に記載の医用画像表示システムにおいて、
前記表示手段に読影すべき医用画像と、参照画像とを表示する際に、前記参照画像上に前記検索された付帯情報を表示することができることを特徴とする医用画像表示システム。
【請求項９】
コンピュータに、
読影すべき医用画像に関連する参照画像として、保存された医用画像と付帯情報とを関連づけて保存する保存手段と、
前記付帯情報に関する検索条件を入力する入力手段と、
入力された検索条件に合致する付帯情報を検索する手段と、
検索された付帯情報、及び／又は、当該付帯情報に対応する医用画像を表示する表示
手段と、
検索された付帯情報に対応する医用画像を参照画像として選択する手段と、
を実現させるためのプログラム。
【請求項１０】
請求項９に記載のプログラムにおいて、
前記付帯情報は患者に関する項目情報および医用画像の撮影条件に関する項目情報を含むことを特徴とするプログラム。  
【請求項１１】
請求項９または１０に記載のプログラムにおいて、
前記付帯情報は、前記医用画像に基づく読影医の所見に関する項目情報を含むことを特徴とするプログラム。
【請求項１２】
請求項９〜１１のいずれか一項に記載のプログラムにおいて、
前記入力手段により入力された検索条件は、読影医毎に登録可能であることを特徴とするプログラム。
【請求項１３】
請求項９〜１２のいずれか一項に記載のプログラムにおいて、
前記入力手段により入力された検索条件は、患者毎に登録可能であることを特徴とするプログラム。
【請求項１４】
請求項９〜１３のいずれか一項に記載のプログラムにおいて、
前記入力手段により入力された検索条件は、病名毎に登録可能であることを特徴とするプログラム。
【請求項１５】
請求項９〜１４のいずれか一項に記載のプログラムにおいて、
前記医用画像を表示手段に表示させる際に、前記医用画像上に前記検索された付帯情報を表示し、当該付帯情報に対応する医用画像を参照画像として選択可能にしたことを特徴とするプログラム。
【請求項１６】
請求項１５に記載のプログラムにおいて、
前記表示手段に読影すべき医用画像と、参照画像とを表示する際に、前記参照画像上に前記検索された付帯情報を表示することができることを特徴とするプログラム。
【手続補正２】
【補正対象書類名】明細書
【補正対象項目名】発明の名称
【補正方法】変更
【補正の内容】
【発明の名称】医用画像表示システム及びプログラム
【手続補正３】
【補正対象書類名】明細書
【補正対象項目名】０００１
【補正方法】変更
【補正の内容】
【０００１】
本発明は、医用画像を表示する医用画像表示システム及びプログラムに関する。
【手続補正４】
【補正対象書類名】明細書
【補正対象項目名】００１６
【補正方法】変更
【補正の内容】
【００１６】
請求項８に記載の発明は、請求項７に記載の医用画像表示システムにおいて、前記表示手段に読影すべき医用画像と、参照画像とを表示する際に、前記参照画像上に前記検索された付帯情報を表示することができることを特徴とする。
請求項９に記載のプログラムは、コンピュータに、読影すべき医用画像に関連する参照画像として、保存された医用画像と付帯情報とを関連づけて保存する保存手段と、前記付帯情報に関する検索条件を入力する入力手段と、入力された検索条件に合致する付帯情報を検索する手段と、検索された付帯情報、及び／又は、当該付帯情報に対応する医用画像を表示する表示手段と、検索された付帯情報に対応する医用画像を参照画像として選択する手段と、を実現させることを特徴とする。
請求項１０に記載の発明は、請求項９に記載のプログラムにおいて、前記付帯情報は患者に関する項目情報および医用画像の撮影条件に関する項目情報を含むことを特徴とする。
請求項１１に記載の発明は、請求項９または１０に記載のプログラムにおいて、前記付帯情報は、前記医用画像に基づく読影医の所見に関する項目情報を含むことを特徴とする。
請求項１２に記載の発明は、請求項９〜１１のいずれか一項に記載のプログラムにおいて、前記入力手段により入力された検索条件は、読影医毎に登録可能であることを特徴とする。
請求項１３に記載の発明は、請求項９〜１２のいずれか一項に記載のプログラムにおいて、前記入力手段により入力された検索条件は、患者毎に登録可能であることを特徴とする。
請求項１４に記載の発明は、請求項９〜１３のいずれか一項に記載のプログラムにおいて、前記入力手段により入力された検索条件は、病名毎に登録可能であることを特徴とする。
請求項１５に記載の発明は、請求項９〜１４のいずれか一項に記載のプログラムにおいて、前記医用画像を表示手段に表示させる際に、前記医用画像上に前記検索された付帯情報を表示し、当該付帯情報に対応する医用画像を参照画像として選択可能にしたことを特徴とする。
請求項１６に記載の発明は、請求項１５に記載のプログラムにおいて、前記表示手段に読影すべき医用画像と、参照画像とを表示する際に、前記参照画像上に前記検索された付帯情報を表示することができることを特徴とする。
【手続補正５】
【補正対象書類名】明細書
【補正対象項目名】００１７
【補正方法】変更
【補正の内容】
【００１７】
請求項１または９に記載の発明によれば、付帯情報に関する検索条件を任意に入力することができるので、検索条件に合致する付帯情報に対応する医用画像を参照画像として選択可能とし、読影医の種々の検索要望に柔軟に対応することができ、検索も容易である。したがって、適切な参照画像を選択して表示させることができる。
【手続補正６】
【補正対象書類名】明細書
【補正対象項目名】００１８
【補正方法】変更
【補正の内容】
【００１８】
請求項２または１０に記載の発明によれば、患者に関する項目情報および撮影条件に関する項目情報の中から任意に検索条件を入力することができる。
【手続補正７】
【補正対象書類名】明細書
【補正対象項目名】００１９
【補正方法】変更
【補正の内容】
【００１９】
請求項３または１１に記載の発明によれば、医用画像に基づき読影医の所見に関する項目情報の中から検索条件を任意に入力することができるので、所見に関する項目情報に当該医用画像の重要度を含めておくことにより、読影医の所見による重要度によって医用画像を検索することができる。
【手続補正８】
【補正対象書類名】明細書
【補正対象項目名】００２０
【補正方法】変更
【補正の内容】
【００２０】
請求項４または１２に記載の発明によれば、読影医毎に入力された検索条件を登録することができるので、参照画像の検索を行う都度、検索条件を入力する必要がなく、それぞれの読影医の好みの検索方法で参照画像を検索することができる。
【手続補正９】
【補正対象書類名】明細書
【補正対象項目名】００２１
【補正方法】変更
【補正の内容】
【００２１】
請求項５または１３に記載の発明によれば、患者毎に検索条件を登録することができるので、参照画像の検索を行う都度、検索条件を入力する必要がなく、それぞれの患者の病状等に応じた検索方法で参照画像を検索することができる。
【手続補正１０】
【補正対象書類名】明細書
【補正対象項目名】００２２
【補正方法】変更
【補正の内容】
【００２２】
請求項６または１４に記載の発明によれば、病名毎に検索条件を登録することができるので、同じ病名の患者であれば、参照画像の検索を行う都度、検索条件を入力する必要がなく、それぞれの病名に応じた検索方法で参照画像を検索することができる。
【手続補正１１】
【補正対象書類名】明細書
【補正対象項目名】００２３
【補正方法】変更
【補正の内容】
【００２３】
請求項７または１５に記載の発明によれば、検索結果としての付帯情報を医用画像上に選択可能に表示することができるので、参照画像と検索結果を一つの画面で同時に参照することができ、また検索結果の中から所望の画像を参照画像として選択することができる。
【手続補正１２】
【補正対象書類名】明細書
【補正対象項目名】００２４
【補正方法】変更
【補正の内容】
【００２４】
請求項８または１６に記載の発明によれば、読影すべき医用画像と参照画像とを表示する際に、参照画像上に検索結果としての付帯情報選択可能に表示することができるので、読影すべき医用画像が検索結果に隠れることがない。また、検索結果の中から所望の画像を参照画像として選択することができる。